(57)【要約】  【課題】  複数のコネクタのうちの少なくとも一つのコネクタを覆っているカバー部のみを開動作させ、当面使用しない他のコネクタの嵌合部をカバー部で覆った状態にして、塵埃の侵入を防ぐ。  【解決手段】  筐体１のコネクタ装着部１ｂに設けられた第１〜第６のコネクタ２−１〜２−６の、相手コネクタ１１が嵌合される嵌合部２Ａをコネクタカバー５で覆うようにした場合、コネクタカバー５は、第１〜第６のコネクタ２−１〜２−６を覆うそれぞれが独立した第１〜第６のカバー部６−１〜６−６を連結部７に片持ち状に連ねて構成してあり、第１〜第６のコネクタ２−１〜２−６のうちの第２のコネクタ２−２に相手コネクタ１１を結合する場合、この第２のコネクタ２−２の嵌合部２Ａを覆っているカバー部６−２のみを開動作させるようにした。【選択図】  図２
2005044633.tif 000002
【特許請求の範囲】
【請求項１】
筐体のコネクタ装着部に複数個のコネクタを設けると共に、これらコネクタにおける相手コネクタが嵌合する嵌合部を前記コネクタ装着部に設けて、前記嵌合部をコネクタカバーで覆うようにした電子筐体におけるコネクタカバー装置であって、
前記コネクタカバーは、前記嵌合部をそれぞれ独立して覆う複数個のカバー部を有し、これらカバー部を一の連結部に連ねて、前記連結部を前記コネクタ装着部に取付けることによって前記筐体に装着するように構成したことを特徴とする電子筐体におけるコネクタカバー装置。
【請求項２】
前記カバー部は前記連結部に片持ち状に連なっていて、これらのカバー部と前記連結部との連結箇所は、前記カバー部を回動可能とする薄肉状のヒンジ部にて構成したことを特徴とする請求項１に記載のコネクタカバー装置。
【請求項３】
前記コネクタ装着部に、前記コネクタのそれぞれに対応する係止孔を設け、前記カバー部の裏面部に係止用突起部を突設し、これらの係止用突起部を前記係止孔に係脱可能に係止することで前記カバー部を固定するように構成したことを特徴とする請求項２に記載のコネクタカバー装置。
【請求項４】
前記係止孔は、前記カバー部の回動に従って移動する前記係止用突起部の移動軌跡に対応して延在する楕円形等の長孔形状とし、前記係止孔の短軸側両辺縁部に前記係止用突起部を弾接させることにより前記係止用突起部を係脱可能に係止するように構成したことを特徴とする請求項３に記載のコネクタカバー装置。
【請求項５】
前記連結部は、複数本で構成し、互いに並置された状態で連ねられており、且つ、これらの連結部のそれぞれに、複数の前記カバー部を片持ち状に連ねるように構成したことを特徴とする請求項１乃至請求項４のいずれか一に記載のコネクタカバー装置。
【発明の詳細な説明】
【技術分野】
【０００１】
本発明は、電話システム等を構築する電気機器の筐体に設けられた複数個のコネクタの相手コネクタ嵌合部を覆う電子筐体におけるコネクタカバー装置に関するものである。
【背景技術】
【０００２】
電話システム等を構築する電気機器の筐体には、例えば、モジュラージャックのようなコネクタが複数個装着してあり、これらコネクタは、その相手コネクタ嵌合部をコネクタカバーなどで覆われることなく大気に開放されているのが現状である。
【０００３】
また、コネクタカバー装置を有する電子機器として図７に示す携帯型電子機器がある。この携帯型電子機器はボトムケース２０を有しており、このボトムケース２０の右側面を構成する周壁には、第１のコネク夕導出口２１と第２のコネクタ導出口２２とが開口しており、第１のコネクタ導出口２１は、第１のインタフェースコネクタ２３の相手コネクタ嵌合部２４や端子２５を露出させるためのものである。第２のコネクタ導出口２２は、第２および第３のインタフェースコネクタ２６、２７を露出させるためのもので、第１のコネクタ導出口２１に並んで配置されている。
【０００４】
そして、従来のコネクタカバー装置は、第１及び第２のコネクタ導出口２１、２２を開閉するコネクタカバー２８を備えており、このコネクタカバー２８は、第１のコネクタ導出口２１の開口形状に合致するような長方形の板状をなしている。このコネクタカバー２８は、ボトムケース２０の周壁の内面に沿っており、第１のコネクタ導出口２１を閉じる第１の位置と、第１のコネクタ導出口２１を開く第２の位置との間に亘って図７において左右方向にスライドされるようになっている。
【０００５】
そして、コネクタカバー２８が第１の位置にスライドされた状態においては、このコネクタカバー２８が第２のコネクタ導出口２２の内側から離脱し、この第２のコネクタ導出口２２が開かれる。逆に、コネクタカバー２８が第２の位置にスライドされると、このコネクタカバー２８は第２のコネクタ導出口２２の内側に進出し、この第２のコネクタ導出口２２を閉じるようになっている。
【０００６】
したがって、コネクタカバー２８は、第１及び第２のコネクタ導出口２１、２２のいずれかー方を選択的に開閉する（特許文献１参照）。
【特許文献１】特開平７−２８５５９号公報
【発明の開示】
【発明が解決しようとする課題】
【０００７】
電話システム等を構築する電気機器の筐体に複数個装着されたモジュラージャックのようなコネクタは、その相手コネクタ嵌合部をコネクタカバーなどで覆われることなく外部に開放されているために、コネクタに塵埃が侵入するという問題点があった。
【０００８】
また、上記した従来のコネクタカバー装置にあっては、コネクタカバー２８は、第１および第２のコネクタ導出口２１、２２のいずれかー方を選択的に開閉するようになっているために、第２のコネクタ導出口２２をコネクタカバー２８で閉じた場合には、第２および第３のインタフェースコネクタ２６、２７がコネクタカバー２８で覆われ、第２および第３のインタフェースコネクタ２６、２７のいずれか一方に相手コネクタを結合することができないという問題点があった。
【０００９】
本発明は、上記の問題点に着目して成されたものであって、その目的とするところは、複数のコネクタのうちの少なくとも一つのコネクタを覆っているカバー部のみを開動作させ、当面使用しない他のコネクタの嵌合部をカバー部で覆った状態にして、これら他のコネクタへの塵埃の侵入を防ぐことができるコネクタカバー装置を提供することにある。
【課題を解決するための手段】
【００１０】
上記の目的を達成するために、本発明に係る電子筐体におけるコネクタカバー装置は、筐体のコネクタ装着部に複数個のコネクタを設けると共に、これらコネクタにおける相手コネクタが嵌合する嵌合部をコネクタ装着部に設けて、嵌合部をコネクタカバーで覆うようにした電子筐体におけるコネクタカバー装置であって、コネクタカバーが、嵌合部をそれぞれ独立して覆う複数個のカバー部を有し、これらカバー部を一の連結部に連ねて、連結部をコネクタ装着部に取付けることによって筐体に装着するように構成したことを特徴とするものである。
【００１１】
かかる構成により、複数のコネクタの少なくともいずれか一のコネクタに相手コネクタを結合する場合、この一のコネクタの嵌合部を覆っているカバー部のみを開動作させ、他のコネクタの嵌合部をカバー部で覆った状態にして、これら他のコネクタへの塵埃の侵入を防ぐことができる。
【００１２】
また、それぞれが独立したカバー部は連結部に連ねてあるために、連結部をコネクタ装着部に取付けることにより、コネクタカバー全体をコネクタ装着部に取付けることができて、コネクタカバーのコネクタ装着部への取付けが容易になる。
【００１３】
また、本発明に係る筐体におけるコネクタカバー装置は、上記した本発明に係るコネクタカバー装置において、カバー部が連結部に片持ち状に連なっていて、これらのカバー部と連結部との連結箇所は、カバー部を回動可能とする薄肉状のヒンジ部にて構成したことを特徴とするものである。
【００１４】
かかる構成により、カバー部を開動作させる場合に、カバー部をヒンジ部で回動させることが可能になり、カバー部の開動作を容易に行うことができる。
【００１５】
また、本発明に係るコネクタカバー装置は、上記した本発明に係るコネクタカバー装置において、コネクタ装着部に、コネクタのそれぞれに対応する係止孔を設け、カバー部の裏面部に係止用突起部を突設し、係止用突起部を係止孔に係脱可能に係止することでカバー部を固定するように構成したことを特徴とするものである。
【００１６】
かかる構成により、カバー部でコネクタの嵌合部を覆う場合、カバー部の裏面部に突設した係止用突起部を係止孔に係脱可能に係止することで、より確実にカバー部でコネクタの嵌合部を覆うことができて、コネクタへの塵埃の侵入を防ぐことができる。
【００１７】
また、本発明に係るコネクタカバー装置は、上記した本発明に係るコネクタカバー装置において、係止孔が、カバー部の回動に従って移動する係止用突起部の移動軌跡に対応して延在する楕円形等の長孔形状とし、係止孔の短軸側両辺縁部に係止用突起部を弾接させることにより係止用突起部を係脱可能に係止するように構成したことを特徴とするものである。
【００１８】
かかる構成により、カバー部の閉動動作に従って、係止用突起部が弾性変形しながら係止孔の長軸方向に移動できることになり、カバー部がコネクタの装着部に当接した時点で別に係止用突起部における係止孔への押し込み動作を改めて行うことなく、係止用突起部を係止孔に係脱可能に係止することができて、カバー部の閉動操作を簡単にすると共に、確実にカバー部がコネクタの嵌合部を覆うことができる。
【００１９】
また、本発明に係るコネクタカバー装置は、上記した本発明に係るコネクタカバー装置において、連結部を複数本で構成し、互いに並置された状態で連ねられており、且つ、これらの連結部のそれぞれに、複数のカバー部を片持ち状に連ねるように構成したことを特徴とするものである。
【００２０】
かかる構成により、複数のコネクタを配した列が複数段に亘っている場合でも、各コネクタの嵌合部を、それぞれが独立したカバー部で覆うことができて、各コネクタへの塵埃の侵入を防ぐことができる。
【発明の効果】
【００２１】
本発明に係るコネクタカバー装置によれば、複数のコネクタの少なくともいずれか一のコネクタに相手コネクタを結合する場合、この一のコネクタの嵌合部を覆っているカバー部のみを開動作させ、他のコネクタの嵌合部をカバー部で覆った状態にして、これら他のコネクタへの塵埃の侵入を防ぐことができる。
【００２２】
また、それぞれが独立したカバー部は連結部に連ねてあるために、連結部をコネクタ装着部に取付けることにより、コネクタカバー全体をコネクタ装着部に取付けることができて、コネクタカバーのコネクタ装着部への取付けが容易になる。
【発明を実施するための最良の形態】
【００２３】
以下、本発明の実施の形態について図面を参照しながら説明する。
【００２４】
（第１の実施の形態）
本発明に係るコネクタカバー装置における第１の実施の形態を図１乃至図４に示す。
【００２５】
図において、電話システム等を構築する電気機器の筐体１は、その前面部１ａにはコネクタ装着部１ｂが設けてあり、このコネクタ装着部１ｂには、図２に示すように第１〜第６のコネクタ２−１〜２−６が、その相手コネクタ１１を嵌合する相手コネクタ嵌合部（以下、単に、嵌合部という）２Ａを開口した状態で所定の間隔で筐体１の横方向（図２において左右方向）に並べて設けてある。
【００２６】
また、コネクタ装着部１ｂには、図２において第１〜第６のコネクタ２−１〜２−６の下方に位置させてそれぞれ係止孔３が設けてあり、これらの係止孔３は、筐体１の縦方向（図２において上下方向）に長軸を有し筐体１の横方向に短軸を有する楕円形等の長孔形状を呈している。
【００２７】
また、コネクタ装着部１ｂには、図２において第１〜第６のコネクタ２−１〜２−６の上方に位置させて４個のピン係止孔４が、筐体１の横方向に所定の間隔をおいて設けてある。
【００２８】
コネクタ装着部１ｂには、第１〜第６のコネクタ２−１〜２−６のそれぞれの嵌合部２Ａを覆うコネクタカバー５が設けてある。このコネクタカバー５は、図３及び図４に示すように６個の互いに独立した第１〜第６のカバー部６−１〜６−６と、これら第１〜第６のカバー部６−１〜６−６を連結する連結部７とで大略構成してあり、その素材は合成ゴムもしくは合成樹脂等を使用している。
【００２９】
第１〜第６のカバー部６−１〜６−６は舌片形状であり、これら第１〜第６のカバー部６−１〜６−６は、それぞれの基端部で片持ち状に一の連結部７に連ねてある。これら第１〜第６のカバー部６−１〜６−６の連結部７との連結箇所は、その表面部が抉られて薄肉状にしてあり、これらの薄肉状部が、第１〜第６のカバー部６−１〜６−６を、その表方向に回動させるヒンジ部８にしてある。そして、第１〜第６のカバー部６−１〜６−６の表面には左から右に１、２、３、４、５、６のコネクタ番号が付けてある。
【００３０】
また、第１〜第６のカバー部６−１〜６−６の裏面部には、図４に明確に示すように、それぞれの先側に位置させて係止用突起部９が突設してある。
【００３１】
これらの係止用突起部９は、その中央の柱状突起部９ａの両側に、この柱状突起部９ａより小型の柱状突起部９ｂを一体に形成して構成してあって、係止孔３の短軸方向に長い形状をなしており、その長さ寸法は係止孔３の短軸側の両辺縁部３ａ間の開口寸法より大きくしてある。
【００３２】
また、連結部７の裏面部には図４において左右方向（横方向）に所定の間隔をおいて４本の係止ピン部１０が突設してある。
【００３３】
上記のように構成されたコネクタカバー５は、その係止ピン部１０をコネクタ装着部１ｂのピン係止孔４に挿入係止することで、このコネクタ装着部１ｂに取付けてある。
【００３４】
この場合、第１〜第６のカバー部６−１〜６−６の係止用突起部９が係止孔３に係脱可能に係止していて、第１のカバー部６−１が第１のコネクタ２−１の嵌合部２Ａを覆い、第２のカバー部６−２が第２のコネクタ２−２の嵌合部２Ａを覆い、第３のカバー部６−３が第３のコネクタ２−３の嵌合部２Ａを覆い、第４のカバー部６−４が第４のコネクタ２−４の嵌合部２Ａを覆い、第５のカバー部６−５が第５のコネクタ２−５の嵌合部２Ａを覆い、第６のカバー部６−６が第６のコネクタ２−６の嵌合部２Ａを覆っている。
【００３５】
次に、第１〜第６のコネクタ２−１〜２−６のうちの第２のコネクタ２−２と相手コネクタ１１との結合及びこの結合の解除を説明する。
【００３６】
図２に示すように、第２のコネクタ２−２に相手コネクタ１１を結合する場合には、第２のカバー部６−２の先端部に指を引っ掛けて、この第２のカバー部６−２を引き起こすことにより、係止用突起部９を係止孔３より抜き出して、この第２のカバー部６−２を、ヒンジ部８を支点にして折曲げて第２のコネクタ２−２の嵌合部２Ａを開ける。
【００３７】
この状態で、第２のコネクタ２−２の嵌合部２Ａに相手コネクタ１１を嵌合して両者を結合する。そして、第２のカバー部６−２の先端部から指を離すと、第２のカバー部６−２は自重によりヒンジ部８を支点にして相手コネクタ１１側に回動して、この相手コネクタ１１に添う状態になる。
【００３８】
このように、第２のコネクタ２−２に相手コネクタ１１を結合する場合には、コネクタカバー５の第２のカバー部６−２のみを開動作させるのである。
【００３９】
この場合、他の第１、第３〜第６のカバー部６−１、６−３〜６−６は開動作せず、第３〜第６のカバー部６−３〜６−６は第３〜第６のコネクタ２−３〜２−６の嵌合部２Ａを覆っており、これら第３〜第６のコネクタ２−３〜２−６への塵埃の侵入を防いでいる。
【００４０】
なお、第１のコネクタ２−１の嵌合部２Ａには、すでに相手コネクタ１１が差込まれている。
【００４１】
また、第２のコネクタ２−２から相手コネクタ１１を引き抜いて両者の結合を解除した場合には、第２のカバー部６−２は自重によりヒンジ部８を支点にして閉動して第２のコネクタ２−２の前方に位置する。
【００４２】
この場合、第２のカバー部６−２の先端部を指で押すことにより、係止用突起部９の両側の柱状突起部９ｂが、長孔形状の係止孔３の短軸側の両辺縁部３ａに当たり、この状態で、強制的に押込まれるために弾性変形して挿入される。
【００４３】
この状態より、カバー部６−２を押しながら閉動させると、係止用突起部９が長孔形状の係止孔３内を移動することができる。
【００４４】
従って、係止用突起部９の移動軌跡に係止孔３の形状が対応していることになって、カバー部６−２がコネクタ装着部１ｂに当接した時点で別に係止用突起部９における係止孔３への押し込み動作を改めて行うことなく、係止用突起部を係止孔に係脱可能に係止されており、カバー部６−２がコネクタの嵌合部２Ａを覆うことができる。
【００４５】
上記した本発明の第１の実施の形態によれば、第１〜第６のコネクタ２−１〜２−６のうちの第２のコネクタ２−２に相手コネクタ１１を結合する場合、この第２のコネクタ２−２の嵌合部２Ａを覆っているカバー部６−２のみを開動作させ、他の第１、第３〜第６のカバー部６−１、６−３〜６−６は開動作させることがない。このために、第１、第３〜第６のカバー部６−１、６−３〜６−６への塵埃の侵入を防ぐことができる。
【００４６】
また、それぞれが独立した第１〜第６のカバー部６−１〜６−６は、それぞれの基端部で片持ち状に連結部７に連ねてあり、連結部７をコネクタ装着部１ｂに取付けることにより、コネクタカバー５全体をコネクタ装着部１ｂに取付けることができて、コネクタカバー５のコネクタ装着部１ｂへの取付けが容易になる。
【００４７】
また、これら第１〜第６のカバー部６−１〜６−６の連結部７との連結箇所は、その表面部が抉られて薄肉状にしてあり、これらの薄肉状部は、第１〜第６のカバー部６−１〜６−６を、その表方向に回動させるヒンジ部８にしてあるために、第１〜第６のカバー部６−１〜６−６を開動作させた場合に、第１〜第６のカバー部６−１〜６−６をヒンジ部８で回動させることが可能になり、第１〜第６のカバー部６−１〜６−６の開動作を容易に行うことができる。
【００４８】
また、第１〜第６のカバー部６−１〜６−６で第１〜第６のコネクタ２−１〜２−６の嵌合部２Ａを覆う場合、第１〜第６のカバー部６−１〜６−６の裏面部に突設した係止用突起部９を係止孔３に係脱可能に係止することで、より確実に第１〜第６のカバー部６−１〜６−６で第１〜第６のコネクタ２−１〜２−６の嵌合部２Ａを覆うことができて、第１〜第６のコネクタ２−１〜２−６への塵埃の侵入を防ぐことができる。
【００４９】
また、開口した嵌合部２Ａを覆うために、カバー部６−１〜６−６を閉動させて、係止用突起部９を係止孔３に押込んで、さらにカバー部６−１〜６−６を閉動させると、係止用突起９が長孔形状の係止孔３内を移動して、係止用突起部９の移動軌跡に係止孔３の形状が対応することになって、カバー部６−１〜６−６がコネクタ装着部１ｂに当接して時点で別に係止用突起９における係止穴３への押し込み動作を改めて行うことなく、係止用突起部９を係止孔３に係脱可能に係合しており、カバー部６−１〜６−６が嵌合部２Ａを覆うことができる。
【００５０】
（第２の実施の形態）
本発明に係るコネクタカバー装置の第２の実施の形態におけるコネクタカバー５−１を図５に示す。
【００５１】
このコネクタカバー５−１は、互いに独立した第１〜第１２のカバー部６−１〜６−１２と、これら第１〜第６のカバー部６−１〜６−６を連結する連結部７−１と、第７〜第１２のカバー部６−７〜６−１２を連結する連結部７−２とで大略構成してある。
【００５２】
連結部７−１、７−２は、図５において上下２段に亘り配してあり、連結部７−１と連結部７−２とは、それぞれの両端部において繋ぎ部１２により互いに連結してあって、四角形状の枠構成にしてある。
【００５３】
第１〜第１２のカバー部６−１〜６−１２は舌片形状であり、これらのうち第１〜第６のカバー部６−１〜６−６は、それぞれの基端部で片持ち状に連結部７−１に連ねられていて、連結部７−１、７−２と繋ぎ部１２とが成す枠体１３内に位置している。また、第７〜第１２のカバー部６−７〜６−１２は、それぞれの基端部で片持ち状に連結部７−２に連ねられている。
【００５４】
そして、これら第１〜第１２のカバー部６−１〜６−１２の連結部７−１，７−２への連結箇所は、その表面部が抉られて薄肉状にしてあり、これらの薄肉状部は、第１〜第１２のカバー部６−１〜６−１２を、その表方向に回動させるヒンジ部８にしてある。
【００５５】
そして、第１〜第６のカバー部６−１〜６−６の表面には左から右に１、２、３、４、５、６の番号が付けてあり、第７〜第１２のカバー部６−７〜６−１２の表面には左から右に７、８、９、１０、１１、１２のコネクタ番号が付けてある。
【００５６】
また、第１〜第１２のカバー部６−１〜６−１２の裏面部には、その先側に位置させて、上記した本発明の第１に実施の形態における係止用突起部９と同様な係止用突起部（図示せず）が突設してある。
【００５７】
また、連結部７−１、７−２には、それぞれに横方向に所定の間隔をおいて、上記した本発明の第１に実施の形態における係止ピン部１０と同様な係止ピン部（図示せず）が突設してある。
【００５８】
上記のように構成されたコネクタカバー５−１は、筐体１のコネクタ装着部１ｂに取付けられて、このコネクタ装着部１ｂに装着された第１〜第１２のコネクタ２−１〜２−１２の嵌合部２Ａを覆う。
【００５９】
すなわち、コネクタ装着部１ｂには、一列６個のコネクタ（第１〜第６のコネクタ２−１〜２−６及びに第７〜第１２のコネクタ２−７〜２−１２）が、図６において上下に配置してあり、また、コネクタ装着部１ｂには、図６において第１〜第６のコネクタ２−１〜２−６の下方及びに第７〜第１２のコネクタ２−７〜２−１２の下方にそれぞれ係止孔３が設けてあるし、また、コネクタ装着部１ｂには、図６において第１〜第６のコネクタ２−１〜２−６の上方、及び第７〜第１２のコネクタ２−７〜２−１２の上方にそれぞれ位置させて４個のピン係止孔４が横方向に所定の間隔をおいて設けてある。
【００６０】
そして、コネクタカバー５−１は、その係止ピン部をコネクタ装着部１ｂのピン係止孔４に挿入係止することで、このコネクタ装着部１ｂに取付けてある。
【００６１】
この場合、第１〜第１２のカバー部６−１〜６−１２の裏面部の係止用突起部がそれぞれに係止孔３に係脱可能に係止していて、第１〜第１２のカバー部６−１〜６−１２が第１〜第１２のコネクタ２−１〜２−１２の嵌合部２Ａを覆っている。
【００６２】
そして、第２のコネクタ２−２に相手コネクタ（図示せず）を結合する場合には、上記した本発明の第１の実施の形態の場合と同様にして行われ、また、第２のコネクタ２−２から相手コネクタを引き抜いて両者の結合を解除した場合も、上記した本発明の第１の実施の形態の場合と同様にして係止用突起部が係止孔３に係脱可能に係止されて、第２のカバー部６−２は第２のコネクタ２−２の嵌合部２Ａを覆うことになる。
【００６３】
上記した本発明の第２の実施の形態によれば、複数のコネクタを配した列が複数段に亘っている場合でも、すなわち、第１〜第６のコネクタ２−１〜２−６の列と、第７〜第１２のコネクタ２−７〜２−１２の列とが２段に亘っている場合でも、第１〜第１２のコネクタ２−１〜２−１２の嵌合部２Ａを、それぞれが独立した第１〜第１２のカバー部６−１〜６−１２で覆うことができて、第１〜第１２のコネクタ２−１〜２−１２への塵埃の侵入を防ぐことができる。
【産業上の利用可能性】
【００６４】
本発明に係る電子筐体におけるコネクタカバー装置は、複数個のコネクタの少なくともいずれか一のコネクタに相手コネクタを結合する場合、この一のコネクタを覆っているカバー部のみを開動作させ、他のコネクタの嵌合部をカバー部で覆った状態にして、これら他のコネクタへの塵埃の侵入を防ぐことができるという効果を有し、電話システム等を構築する電気機器等として好適に使用でき、有用である。
【図面の簡単な説明】
【００６５】
【図１】本発明に係るコネクタカバー装置（第１の実施の形態）を備えた電気機器の一部省略した斜視図である。
【図２】図１のＸ部の拡大であって、コネクタに相手コネクタを結合する直前の一部省略した斜視図である。
【図３】本発明に係るコネクタカバー装置（第１の実施の形態）におけるコネクタカバーを表側から見た斜視図である。
【図４】同コネクタカバーを裏側から見た斜視図である。
【図５】本発明に係るコネクタカバー装置（第２の実施の形態）におけるコネクタカバーを表側から見た斜視図である。
【図６】電気機器の筐体におけるコネクタ装着部の斜視図である。
【図７】従来のコネクタカバー装置を備えた電気機器の一部省略した側面図である。
【符号の説明】
【００６６】
１                  筐体
１ｂ                コネクタ装着部
２−１〜２−６      第１〜第６のコネクタ
２−７〜２−１２    第７〜第１２のコネクタ
２Ａ                相手コネクタ嵌合部（嵌合部）
３                  係止孔
４                  ピン係止孔
５                  コネクタカバー
５−１              コネクタカバー
６−１〜６−６      第１〜第６のカバー部
６−７〜６−１２    第７〜第１２のカバー部
７                  連結部
７−１              連結部
７−２              連結部
８                  ヒンジ部
９                  係止用突起部
１０                係止ピン部
１１                相手コネクタ
【図１】
2005044633.tif 000003
【図２】
2005044633.tif 000004
【図３】
2005044633.tif 000005
【図４】
2005044633.tif 000006
【図５】
2005044633.tif 000007
【図６】
2005044633.tif 000008
【図７】
2005044633.tif 000009